(57)【要約】【課題】生体情報を利用した認証の精度を向上させる。【解決手段】入退室するためのドア１０は、入退室者がドア本体１２を開閉するために把持する操作部の一例であるハンドル１４と、ハンドル１４を把持した入退室者を認証するために、ハンドル１４を把持した入退室者の指から入退室者の生体情報を検出するセンサの一例である撮像装置２０と、入退室者がハンドル１４を把持したときの入退室者の指に対する撮像装置の位置又は角度を調整するための調整部とを備える。【選択図】図１
2019167805.tif 000002
【特許請求の範囲】
【請求項１】
入退室するためのドアであって、
入退室者が前記ドアを開閉するために把持する操作部と、
前記操作部を把持した入退室者を認証するために、前記操作部を把持した前記入退室者の指から前記入退室者の生体情報を検出するセンサと、
前記入退室者が前記操作部を把持したときの前記入退室者の指に対する前記センサの位置又は角度を調整するための調整部と、
を備えることを特徴とするドア。
【請求項２】
前記調整部は、前記センサの設置面に対して面外の方向に前記センサを回転させることを特徴とする請求項１に記載のドア。
【請求項３】
前記調整部は、前記センサと前記操作部との間に介挿された弾性部材を含むことを特徴とする請求項２に記載のドア。
【請求項４】
前記調整部は、前記センサの設置面に対して面内の方向に前記センサを回転させることを特徴とする請求項１から３のいずれかに記載のドア。
【請求項５】
前記調整部は、前記センサと一体的に回転可能に設けられた、前記入退室者の指を置くための回転支持台を含むことを特徴とする請求項４に記載のドア。
【請求項６】
前記調整部は、前記センサの設置面に沿って前記センサを移動させることを特徴とする請求項１から５のいずれかに記載のドア。
【請求項７】
前記センサは、前記操作部の前記入退室者から見て裏側に設置されることを特徴とする請求項１から６のいずれかに記載のドア。
【請求項８】
前記操作部の前記センサが設置された位置の表側に、前記センサの位置を指し示す位置指示部が設けられることを特徴とする請求項７に記載のドア。
【請求項９】
前記ドアを施錠するための錠前部と、
前記センサにより検出された生体情報を用いて前記入退室者を認証し、前記入退室者が認証された場合に前記錠前部を解錠する制御部と、
を更に備えることを特徴とする請求項１から８のいずれかに記載のドア。
【請求項１０】
前記センサは、前記入退室者の指の静脈を撮像する撮像装置であることを特徴とする請求項１から９のいずれかに記載のドア。
【請求項１１】
前記操作部が把持されていないときに前記センサを覆って保護するためのシャッター部を更に備えることを特徴とする請求項１から１０のいずれかに記載のドア。
【請求項１２】
入退室するためのドアであって、
入退室者が前記ドアを開閉するために把持する操作部と、
前記操作部を把持した入退室者を認証するために、前記操作部を把持した前記入退室者の指から前記入退室者の生体情報を検出するセンサと、
前記操作部が把持されていないときに前記センサを覆って保護するためのシャッター部と、
を備えることを特徴とするドア。
【請求項１３】
ドアを開閉するために入退室者が把持するハンドルであって、
前記ハンドルを把持した入退室者を認証するために、前記ハンドルを把持した前記入退室者の指から前記入退室者の生体情報を検出するセンサと、
前記入退室者が前記ハンドルを把持したときの前記入退室者の指に対する前記センサの位置又は角度を調整するための調整部と、
を備えることを特徴とするハンドル。
【発明の詳細な説明】
【技術分野】
【０００１】
本発明は、ドア及びハンドルに関する。
【背景技術】
【０００２】
指紋や指の静脈のパターンなどの生体情報を用いて個人を認証する技術が実用されている。例えば、特許文献１には、ドアを開閉する際に手で握りこむためのグリップ部に光源と撮像部を設け、指の指静脈パターンを撮影して個人認証を行うことが記載されている。
【先行技術文献】
【特許文献】
【０００３】
【特許文献１】特開２００７−０７５３０５号公報
【発明の概要】
【発明が解決しようとする課題】
【０００４】
認証の精度を向上させるためには、撮像部が指の指静脈パターンを確実に撮影することができるように、指の位置を撮像部に合わせることが重要である。特許文献１には、グリップに指の位置合わせ用の溝又は窪みを設けることが記載されているが、本発明者らは、更に高い精度で指の位置を合わせるための技術が必要であることを課題として認識した。
【０００５】
本発明は、このような課題に鑑みてなされ、その目的は、生体情報を利用した認証の精度を向上させる技術を提供することにある。
【課題を解決するための手段】
【０００６】
上記課題を解決するために、本発明のある態様のドアは、入退室するためのドアであって、入退室者がドアを開閉するために把持する操作部と、操作部を把持した入退室者を認証するために、操作部を把持した入退室者の指から入退室者の生体情報を検出するセンサと、入退室者が操作部を把持したときの入退室者の指に対するセンサの位置又は角度を調整するための調整部と、を備える。
【０００７】
この態様によると、入退室者の指の位置又は角度に合わせて、センサの位置又は角度を調整することができるので、より的確に入退室者の指から生体情報を検出することができる。これにより、認証の精度を向上させることができる。
【０００８】
本発明の別の態様は、ハンドルに関する。このハンドルは、ドアを開閉するために入退室者が把持するハンドルであって、ハンドルを把持した入退室者を認証するために、ハンドルを把持した入退室者の指から入退室者の生体情報を検出するセンサと、入退室者がハンドルを把持したときの入退室者の指に対するセンサの位置又は角度を調整するための調整部と、を備える。
【０００９】
この態様によっても、入退室者の指の位置又は角度に合わせて、センサの位置又は角度を調整することができるので、より的確に入退室者の指から生体情報を検出することができる。これにより、認証の精度を向上させることができる。
【発明の効果】
【００１０】
本発明によれば、生体情報を利用した認証の精度を向上させることができる。
【図面の簡単な説明】
【００１１】
【図１】実施の形態に係るドアの構成を示す図である。
【図２】撮像装置の角度を設置面に対して面外の方向に調整可能とする第１の機構の調整部の例を示す図である。
【図３】撮像装置の角度を設置面に対して面内の方向に調整可能とする第２の機構の調整部の例を示す図である。
【図４】撮像装置の位置を設置面に沿って調整可能とする第３の機構の調整部の例を示す図である。
【図５】撮像装置の位置を指し示す位置指示部の例を示す図である。
【図６】撮像装置を使用しないときに撮像装置を覆うためのシャッター部の例を示す図である。
【発明を実施するための形態】
【００１２】
実施の形態に係るドアは、ドアを介して室内に入室する人、又は、ドアを介して室内から退出する人を認証するために、ドアを開閉するための操作部を把持した入退室者の指から入退室者の生体情報を検出するためのセンサを備える。センサにより検出された生体情報を、登録された使用者の生体情報と照合し、入退室者が登録された使用者本人であると認証されると、錠前部を解錠してドアを開閉可能とする。これにより、解錠のための鍵が不要となるので、使用者の利便性を向上させることができる。
【００１３】
ドアのセキュリティ性を担保しつつ、使用者の利便性を向上させるためには、他人を本人として認証してしまう他人受入率と、本人を本人として認証できない本人拒否率を、できる限り０に近い値に抑える必要がある。本発明者らが、指の静脈パターンを生体情報として検出するセンサをドアのハンドルに組み込んで、ハンドルを把持した人を認証する実験を行ったところ、他人受入率は０％であったが、本人拒否率が比較的高いことが分かった。認証に失敗した事例のうちの約７割は、ハンドルを把持したときに指とセンサの位置が合っていなかったことが原因であり、とくに、手の平の面内において指の長手方向に垂直な方向、及び、手の平の面に垂直な方向のずれが、認証の精度に大きく影響することが分かった。
【００１４】
このような課題を解決するために、本実施の形態のドアは、入退室者が操作部を把持したときの入退室者の指に対するセンサの位置又は角度を調整するための調整部を備える。調整部が入退室者の指に合わせてセンサの位置又は角度を調整することにより、入退室者の生体情報をより的確に検出することができ、認証の精度を向上させることができる。
【００１５】
本実施の形態では、入退室者の生体情報として指の静脈の撮像画像を撮像し、入退室者を認証する例について説明する。したがって、本実施の形態のドアに設けられるセンサは、指の静脈を撮像するための撮像装置である。別の例では、入退室者の認証するための生体情報として、指紋や掌形などが用いられてもよいし、個人を認証することが可能な他の任意の生体情報が用いられてもよい。
【００１６】
図１は、実施の形態に係るドア１０の構成を示す。ドア１０は、住宅などの建造物の出入口や部屋の出入口の開口などに開閉可能に取り付けられたドア本体１２と、入退室者がドア本体１２を開閉するために把持する操作部の一例であるハンドル１４と、ドア本体１２を施錠するための錠前部１６と、ハンドル１４を把持した入退室者を認証するために、ハンドル１４を把持した入退室者の指の静脈を撮像する撮像装置２０と、入退室者が認証を要求するための認証ボタン２２と、入退室者を認証し、入退室者が認証された場合に錠前部１６を解錠する制御部４０とを備える。
【００１７】
撮像装置２０は、ハンドル１４の入退室者から見て裏側に設置され、入退室者がハンドル１４を把持したときに、人差し指の腹側から人差し指の静脈を撮像する。これにより、ドアの美感を損なうことなく、撮像装置２０により入退室者を指を撮像して、入退室者を認証することができる。認証ボタン２２は、入退室者がハンドル１４を把持したときに親指で押すことができるように、撮像装置２０のやや上方の表側に設置される。
【００１８】
入退室者がハンドル１４を把持し、人差し指が撮像装置２０の視野に入った状態で、親指で認証ボタン２２を押すと、撮像装置２０が人差し指の静脈を撮像して制御部４０に送る。制御部４０は、撮像された入退室者の静脈パターンと、登録された使用者の静脈パターンとを照合し、入退室者の静脈パターンが使用者の静脈パターンと合致するか否かを判定する。合致すると判定された場合、制御部４０は、錠前部１６に解錠するよう指示する。合致しないと判定された場合、制御部４０は、音声又は表示により認証に失敗したことを入退室者に報知する。正当な使用者であるにもかかわらず認証に失敗した場合や、静脈パターンをまだ登録していない使用者が入退室する場合に、鍵により錠前部１６を解錠することができるように、錠前部１６に鍵穴が設けられてもよい。
【００１９】
使用者の静脈パターンの登録は、制御部４０により実行されてもよいし、使用者が使用する携帯端末などにより実行されてもよい。例えば、認証ボタン２２が所定の態様で操作された場合、制御部４０は、使用者の静脈パターンを登録するためのプログラムを実行し、いったん鍵により錠前部１６を解錠させるなどして正当な使用者であることを認証し、ハンドル１４を把持させて撮像装置２０に指の静脈の画像を撮像させ、撮像された画像をメモリなどに記録してもよい。また、携帯端末において実行されるアプリケーションにより、撮像装置２０による指の静脈の画像の撮像と、撮像された画像の登録を制御部４０に指示してもよい。
【００２０】
制御部４０は、ドア１０の外部に設けられてもよい。この場合、ドア１０の撮像装置２０や錠前部１６などの構成と制御部４０との間の通信は、有線通信であってもよいし、無線通信であってもよい。ドア１０の構成と制御部４０との間の通信を制御する通信装置がドア１０に内蔵されてもよい。
【００２１】
本実施の形態では、撮像装置２０の位置又は角度を調整するための機構として、以下の３つの機構を提案する。第１の機構は、撮像装置２０の設置面に対して面外の方向に撮像装置２０を回転させるものである。第２の機構は、撮像装置２０の設置面に対して面内の方向に撮像装置２０を回転させるものである。第３の機構は、撮像装置２０の設置面に沿って撮像装置２０を移動させるものである。これらの３つの機構のうち、いずれか１つの機構のみが設けられてもよいし、任意の２以上の機構が組み合わせて設けられてもよい。
【００２２】
［第１の機構：設置面の面外方向の角度調整］
図２は、撮像装置２０の角度を設置面に対して面外の方向に調整可能とする第１の機構の調整部の例を示す。図２（ａ）及び図２（ｂ）に示した例では、撮像装置２０が、入退室者の指を支持するための支持台２１と一体になっており、バネ３０を介してハンドル１４に支持される。入退室者の指が支持台２１に置かれたとき、指を支持台２１に押さえつける力によりバネ３０が伸縮し、指の腹の全面が支持台２１に接するように支持台２１が傾斜する。例えば、図２（ａ）に示すように、入退室者が、指先が浮くようにしてハンドル１４を把持した場合は、第一関節側のバネ３０が指で押されて縮むように変形することにより、撮像装置２０が入退室者の指に合わせて傾斜する。また、図２（ｂ）に示すように、入退室者が、第一関節が浮くようにしてハンドル１４を把持した場合は、指先側のバネ３０が指で押されて縮むように変形することにより、撮像装置２０が入退室者の指に合わせて傾斜する。これにより、入退室者の指の静脈が撮像装置２０の視野に入るように撮像装置２０と指の間の距離及び角度を調整することができるとともに、撮像装置２０と指の間の距離及び角度が、登録時と認証時で同じになるようにすることができるので、認証の精度を向上させることができる。
【００２３】
図２（ｃ）に示した例では、撮像装置２０及び照明装置２３は、枠３２及び枠３４を介してハンドル１４に支持される支持部３１に備えられる。枠３２は、ハンドル１４に取り付けられる。枠３４は、軸３３の周りに回動可能に設けられており、枠３２に対して上下方向に回動させることができる。支持部３１は、軸３５の周りに回動可能に設けられており、枠３４に対して左右方向に回動させることができる。入退室者が指を支持部３１に置いたときに、支持部３１が上下方向にも左右方向にも回動可能であるので、指の傾斜に合わせて撮像装置２０を傾斜させることができる。この例では、撮像装置２０及び照明装置２３を同一の支持部３１に設け、一体的に回動可能とすることにより、撮像装置２０の撮像範囲と照明装置２３の照明範囲とを連動させることができ、撮像装置２０の撮像範囲を確実に照らすことができるので、認証の精度を向上させることができる。
【００２４】
調整部は、撮像装置２０を設置面に対して面外方向に回動自在に支持可能な任意の機構であってもよい。例えば、撮像装置２０とハンドル１４の間にスポンジやゴムなどの弾性部材が介挿され、弾性部材を介して撮像装置２０がハンドル１４に支持されてもよいし、モータなどの電気的に駆動可能な部材により撮像装置２０がハンドル１４に支持されてもよい。後者の場合、制御部４０が入退室者の指の位置又は角度を検知し、撮像装置２０の位置又は角度を入退室者の指の位置又は角度に合わせるようにモータなどを駆動してもよい。
【００２５】
［第２の機構：設置面の面内方向の角度調整］
図３は、撮像装置２０の角度を設置面に対して面内の方向に調整可能とする第２の機構の調整部の例を示す。図３（ａ）は、撮像装置２０及び調整部の概略断面図であり、図３（ｂ）及び図３（ｃ）は、撮像装置２０及び調整部の概略平面図である。図３（ａ）に示すように、撮像装置２０は、入退室者の指を支持するための回転支持台３６と一体になっており、ボールベアリング２５を介して回動自在にハンドル１４に支持される。
【００２６】
回転支持台３６は、指を置くためのガイド面３７を有しており、入退室者が指をガイド面３７に置くと、ガイド面３７の方向が指の長手方向と合うように回転支持台３６が面内方向に回転され、指がガイド面３７内に納まった状態で回転が停止する。ガイド面３７は、手前から奥へ向けて内径が小さくなるようなテーパー状の形状に形成されるのが好ましく、例えばＵ字状又はＶ字状に形成されてもよい。これにより、入退室者の指の太さや形状などによらず、指の長手方向に合わせて回転支持台３６を回転させることができる。ガイド面３７は、入退室者の指の太さや形状などに合わせて、バネなどにより幅が調整可能に設けられてもよい。ガイド面３７の、指の第一関節側の端部は、端部に向けて低くなるように傾斜が設けられてもよい。これにより、入退室者が指の第一関節を自然に曲げた状態でガイド面３７に指を置くことができるので、入退室者の使用感を向上させることができるとともに、指の位置を認証のたびに一定に保つことができるので、認証の精度を向上させることができる。ハンドル１４がドア本体１２の右側に設置される場合は、多くの入退室者は右手でハンドル１４を把持すると考えられるので、ガイド面３７の右側に傾斜が設けられてもよく、ハンドル１４がドア本体１２の左側に設置される場合は、ガイド面３７の左側に傾斜が設けられてもよい。ガイド面３７の両側に傾斜が設けられてもよい。
【００２７】
入退室者の指と接触する回転支持台３６のガイド面３７は、ポリテトラフルオロエチレンやポリアセタールコポリマーなど、滑りの良い滑らかな材質で形成されるのが好ましい。これにより、入退室者の使用感を向上させることができる。
【００２８】
［第３の機構：設置面に沿った位置調整］
図４は、撮像装置２０の位置を設置面に沿って調整可能とする第３の機構の調整部の例を示す。第１又は第２の機構の調整部、又は、第１及び第２の機構の調整部が設けられた撮像装置２０が、レール２４に沿って摺動自在に設けられる。これにより、入退室者の身長などにより入退室者がハンドル１４を把持する位置が異なる場合にも、撮像装置２０を移動させて位置を合わせることができ、認証の精度を向上させることができる。撮像装置２０は、複数設けられてもよく、その場合は、それぞれの撮像装置２０が摺動可能なレール２４の範囲が設定されてもよい。後述するように、ハンドル１４の裏面に設けられた撮像装置２０の位置を指し示すための位置指示部がハンドル１４の表面に設けられる場合、撮像装置２０と位置指示部が連動して移動するように構成されてもよい。
【００２９】
［センサの位置を指示する機構］
図５は、撮像装置２０の位置を指し示す位置指示部の例を示す。図５（ａ）に示すように、ハンドル１４を入退室者が把持するときに親指を置くための溝３９と、親指と人差し指の付け根の位置を合わせるためのマーカ３８が、ハンドル１４の表側に設けられている。溝３９は、入退室者がハンドル１４を把持するときの親指の長手方向の形状に合わせて設けられる。マーカ３８は、入退室者がハンドル１４を把持するときの親指と人差し指の付け根の形状に合わせて設けられる。図５（ｂ）に示すように、入退室者が、親指を溝３９に合わせるとともに、親指と人差し指の付け根をマーカ３８に合わせてハンドル１４を把持すると、ちょうど人差し指が撮像装置２０の位置に合う。このように、ハンドル１４の表側に位置指示部を設けることにより、撮像装置２０がハンドル１４の裏側に設けられて入退室者から位置が視認できない場合であっても、撮像装置２０の位置に合わせてハンドル１４を把持させることができるので、認証の精度を向上させることができる。
【００３０】
図５の例では、マーカ３８は、親指と人差し指の付け根の形状に合わせて三角形の形状とされたが、曲線で表現してもよいし、折れ線で表現してもよい。ハンドル１４を一周するように曲線又は直線が引かれてもよい。この場合、曲線又は直線を境界として、上下の領域のデザイン、色、質感、形状などを異ならせてもよい。これにより、ハンドル１４の意匠性を高めつつ、入退室者が把持すべき位置を視覚的に理解しやすくすることができる。マーカ、曲線、又は折れ線の形状に合わせて、凹凸が設けられてもよい。これにより、夜間の玄関のドアなどのように、暗くて位置指示部を視認するのが困難であるような場合であっても、適切な位置でハンドル１４を把持するように入退室者を誘導することができるので、認証の精度を向上させることができる。
【００３１】
位置指示部は、上述した第１〜３のいずれの機構の調整部とも組合せ可能である。上述したように、第３の機構の調整部と組み合わせる場合には、撮像装置２０の移動に合わせて位置指示部も移動可能とすることが好ましい。
【００３２】
［防汚シャッター］
図６は、撮像装置２０を使用しないときに撮像装置２０を覆うためのシャッター部の例を示す。図６（ａ）は、シャッター部５２を含む構成の概略斜視図であり、図６（ｂ）は、シャッター部５２を含む構成の断面図である。図６（ａ）に示すように、撮像装置２０は、円筒状の設置部５０の奥に設置され、設置部５０の手前側には、撮像装置２０を使用しないときに撮像装置２０と外界を遮断するためのシャッター部５２が設けられる。
【００３３】
設置部５０の底部５１は、撮像装置２０が設置された奥側が高く、シャッター部５２が設置された手前側が低くなるように、外部に向けて傾斜するように設けられる。これにより、設置部５０が円筒状に形成されることと相俟って、屋外に設置部５０が設置される場合であっても、設置部５０の内部に侵入した雨水などの水分を迅速に排出することができる。
【００３４】
シャッター部５２は、上方に引き上げられて開かれてもよい。これにより、シャッター部５２を駆動する部分に水が溜まる事態を低減させることができる。シャッター部５２は、鉛直方向に対して傾けて設置されてもよい。これにより、シャッター部５２に水分やゴミなどが付着するのを低減させることができる。シャッター部５２の内側の気圧が外側の気圧よりも高くなるように気圧が調整されてもよい。これにより、シャッター部５２の内側に水分やゴミなどが侵入するのを低減させることができる。
【００３５】
シャッター部５２は、入退室者がハンドル１４を把持したことが検知されたときにのみ開かれてもよい。入退室者がハンドル１４を把持したことは、撮像装置２０により検知されてもよいし、人感センサ２６が別途設けられてもよい。この場合、シャッター部５２は、シャッター部５２の外側に入退室者の指が近づいたときに、撮像装置２０又は人感センサ２６が入退室者の指を検知することができるように、赤外線や電波など、撮像装置２０又は人感センサ２６が入退室者の指を検知するために使用する電磁波などの一部又は全部を透過する構造又は材質で形成されてもよい。制御部４０は、撮像装置２０又は人感センサ２６が入退室者の指を検知すると、シャッター部５２を開く。制御部４０は、入退室者の指の位置又は角度が適切な位置又は角度からずれている場合には、シャッター部５２を開かなくてもよい。制御部４０は、認証が終了すると、シャッター部５２を閉じる。これにより、必要なときだけシャッター部５２を開くので、水分やゴミなどの侵入をより低減させることができる。
【００３６】
シャッター部５２は、太陽光、とくに夕日の光を遮断することができるような構造又は材質により形成されてもよい。これにより、撮像装置２０が入退室者の指を撮像するときに、日光の影響によりハレーションを起こして指の静脈が適切に撮像されない事態を低減させることができる。
【００３７】
シャッター部５２は、上述した第１〜３のいずれの機構の調整部とも組合せ可能であり、位置指示部とも組合せ可能である。
【００３８】
以上の実施の形態によれば、入退室者の指の位置又は角度と、入退室者の指から生体情報を検出するためのセンサの位置又は角度とが合うように適切に調整することができるので、認証の精度を向上させることができる。また、比較的安価で簡易な構成により、認証の精度を向上させることができるので、高い費用対効果が得られる。また、入退室者を生体情報から特定することができるので、使用者の入室時刻、退室時刻、在室状況などを管理することができる。これにより、例えば、子供が帰宅又は外出したことを親に通知したり、被後見人、被保佐人、被補助人、要介護者などが帰宅又は外出したことを、後見人、保佐人、補助人、介護者などに通知したりすることができる。
【００３９】
以上の実施形態、変形例により具体化される発明を一般化すると、以下の技術的思想が導かれる。
【００４０】
本発明のある態様のドアは、入退室するためのドアであって、入退室者がドアを開閉するために把持する操作部と、操作部を把持した入退室者を認証するために、操作部を把持した入退室者の指から入退室者の生体情報を検出するセンサと、入退室者が操作部を把持したときの入退室者の指に対するセンサの位置又は角度を調整するための調整部と、を備える。
【００４１】
この態様によると、入退室者の指の位置又は角度に合わせて、センサの位置又は角度を調整することができるので、より的確に入退室者の指から生体情報を検出することができる。これにより、認証の精度を向上させることができる。
【００４２】
調整部は、センサの設置面に対して面外の方向にセンサを回転させてもよい。調整部は、センサと操作部との間に介挿された弾性部材を含んでもよい。調整部は、センサの設置面に対して面内の方向にセンサを回転させてもよい。調整部は、センサと一体的に回転可能に設けられた、入退室者の指を置くための回転支持台を含んでもよい。調整部は、センサの設置面に沿ってセンサを移動させてもよい。これらの態様によっても、入退室者の指の位置又は角度に合わせて、センサの位置又は角度を調整することができるので、より的確に入退室者の指から生体情報を検出することができる。これにより、認証の精度を向上させることができる。
【００４３】
センサは、操作部の入退室者から見て裏側に設置されてもよい。この態様によると、ドアの意匠性を損なうことなく、入退室者の生体情報を検出することができる。操作部のセンサが設置された位置の表側に、センサの位置を指し示す位置指示部が設けられてもよい。この態様によると、センサが設置された位置に入退室者が指を置くように入退室者を的確に誘導することができるので、認証の精度を向上させることができる。
【００４４】
ドアを施錠するための錠前部と、センサにより検出された生体情報を用いて入退室者を認証し、入退室者が認証された場合に錠前部を解錠する制御部と、を更に備えてもよい。この態様によると、使用者の利便性を向上させることができる。
【００４５】
センサは、入退室者の指の静脈を撮像する撮像装置であってもよい。この態様によると、入退室者がドアを開閉するために必ず操作部を把持するという特性を生かして、余計な操作を要求することなく入退室者を認証することができるので、入退室者の利便性を向上させることができる。
【００４６】
操作部が把持されていないときにセンサを覆って保護するためのシャッター部を更に備えてもよい。この態様によると、センサを水分やゴミから保護することができるので、認証の精度を向上させることができる。
【００４７】
本発明の別の態様もまた、ドアである。このドアは、入退室するためのドアであって、入退室者がドアを開閉するために把持する操作部と、操作部を把持した入退室者を認証するために、操作部を把持した入退室者の指から入退室者の生体情報を検出するセンサと、操作部が把持されていないときにセンサを覆って保護するためのシャッター部と、を備える。
【００４８】
この態様によると、センサを水分やゴミから保護することができるので、認証の精度を向上させることができる。
【００４９】
本発明の別の態様は、ハンドルである。このハンドルは、ドアを開閉するために入退室者が把持するハンドルであって、ハンドルを把持した入退室者を認証するために、ハンドルを把持した入退室者の指から入退室者の生体情報を検出するセンサと、入退室者がハンドルを把持したときの入退室者の指に対するセンサの位置又は角度を調整するための調整部と、を備える。
【００５０】
この態様によっても、入退室者の指の位置又は角度に合わせて、センサの位置又は角度を調整することができるので、より的確に入退室者の指から生体情報を検出することができる。これにより、認証の精度を向上させることができる。
【符号の説明】
【００５１】
１０  ドア、１２  ドア本体、１４  ハンドル、１６  錠前部、２０  撮像装置、２２  認証ボタン、４０  制御部。
【図１】
2019167805.tif 000003
【図２】
2019167805.tif 000004
【図３】
2019167805.tif 000005
【図４】
2019167805.tif 000006
【図５】
2019167805.tif 000007
【図６】
2019167805.tif 000008